(57)【要約】      （修正有）【課題】靴下とストッキングの両者の利点を合わせ持つ靴下を提供する。【解決手段】靴下１０は、爪先部２から踵部４にかけての足裏部３を被覆する天然繊維または化学繊維単独あるいは天然繊維に化学繊維を加えた混紡材料からなる第１部位１２と、この第１部位１２の上側に連設され化学繊維からなり少なくとも踝部４の上方まで被覆する第２部位１４とにより構成される。【選択図】図１
0003225693.tif 000002
【実用新案登録請求の範囲】
【請求項１】
爪先部から踵部にかけての足裏部を被覆する天然繊維または化学繊維単独あるいは天然繊維に化学繊維を加えた混紡材料からなる第１部位と、この第１部位の上側に連設され化学繊維からなり少なくとも踝部の上方まで被覆する第２部位とにより構成されたことを特徴とする靴下。
【請求項２】
前記第１部位は、前記爪先部から前記踵部にかけての足裏部を主に被覆するようになっていることを特徴とする請求項１に記載の靴下。
【請求項３】
前記第１部位は、前記踝部の下方全域を被覆するようになっていることを特徴とする請求項１に記載の靴下。
【請求項４】
前記天然繊維は、綿またはシルク単独あるいは綿にシルクを加えた天然材料とされていることを特徴とする請求項１ないし請求項３のいずれか１項に記載の靴下。
【考案の詳細な説明】
【技術分野】
【０００１】
本考案は、靴下に係り、特に、靴下とストッキングの両者の利点を合わせ持たせるようにした靴下に関する。
【背景技術】
【０００２】
従来から種々の靴下とストッキングが知られており、ストッキングは、一般に、靴下より薄手の糸により編まれ、靴下より大きな伸縮性を有している。
【０００３】
一方、ストッキングより厚手の糸により編まれる靴下は、丈の長さや機能・形状により種々の種類がある。このような靴下の一例として、例えば、脹ら脛部に伸縮性を異にする複数の環状部を交互に設けたものがある（特許文献１参照）。
【０００４】
しかしながら、脹ら脛部が厚手の糸により編まれている靴下であると、その伸縮性には限界があり、締め付けすぎあるいは締め付けが緩すぎるといった問題点があった。
【先行技術文献】
【特許文献】
【０００５】
【特許文献１】特開２０１９−３１７６７号公報
【考案の概要】
【考案が解決しようとする課題】
【０００６】
本考案は、前述した従来の問題点を克服し、靴下とストッキングの両者の利点を合わせ持たせるようにした靴下を提供することを目的としている。
【課題を解決するための手段】
【０００７】
前記の課題を解決するために、請求項１に係る本考案の靴下は、爪先部から踵部にかけての足裏部を被覆する天然繊維または化学繊維単独あるいは天然繊維に化学繊維を加えた混紡材料からなる第１部位と、この第１部位の上側に連設され化学繊維からなり少なくとも踝部の上方まで被覆する第２部位とにより構成されたことを特徴としている。そして、このような構成を有することにより、靴下本来の機能を有する第１部位と、ストッキング本来の機能を有する第２部位とが相俟って使用者に良好な使用感を与えることができる。
【０００８】
請求項２に係る本考案の靴下は、前記第１部位が、前記爪先部から前記踵部にかけての足裏部を主に被覆するようになっていることを特徴としている。そして、このような構成を採用したことにより、足裏部を靴下の感触とし、足裏部以外をストッキングの感触とすることができる。
【０００９】
請求項３に係る本考案の靴下は、前記第１部位が、前記踝部の下方全域を被覆するようになっていることを特徴としている。そして、このような構成を有することにより、足首部より上方をストッキングの感触とし、踝部より下方を靴下の感触とすることができる。
【００１０】
請求項４に係る本考案の靴下は、前記天然繊維が、綿またはシルク単独あるいは綿にシルクを加えた天然材料とされていることを特徴としている。そして、このような構成を有することにより、第１部位を構成する天然繊維の感触を異ならせることができる。
【考案の効果】
【００１１】
本考案の靴下によれば、ストッキングと靴下の両者の利点を合わせ持つことができ、使用者に良好な感触を与えることができる。
【図面の簡単な説明】
【００１２】
【図１】本考案に係る靴下の第１実施形態を示す斜視図
【図２】本考案に係る靴下の第２実施形態を示す斜視図
【考案を実施するための形態】
【００１３】
図１は、本考案の第１実施形態を示すものであり、本実施形態の靴下１０は、足１の爪先部２から踵部４にかけての足裏部３を被覆するソックス仕様の第１部位１２を有している。この第１部位１２は、図中黒色で表示しているが、黒色に限定されるものではない。そして、この第１部位１２は、足１の爪先部２の上下部２ａ，２ｂから足裏部３の全域を被覆するようにして、踵部４の後端まで足１の甲５を除く部位を浅く被覆するようになっている。
【００１４】
前記第１部位１２は、綿、シルクなどの天然材料の１種を単独で使用するか、あるいは、綿にシルクを加えるなどして複数の天然材料を編んで形成されている。また、これらの天然材料に、ナイロン、ポリウレタンなどの化学繊維を加えた混紡材料を編んで形成してもよい。さらに、汗を吸うことで熱を発生させる特殊な化学繊維を使用することにより寒冷地での使用に適した第１部位１２とすることができる。
【００１５】
前記第１部位１２の上側には、ストッキング仕様の第２部位１４が、糸を替えて編むことにより連設されている。この第２部位１４は、本実施形態においては、脹ら脛６の上部までを被覆する長さに形成されている。
【００１６】
前記第２部位１４は、ナイロン、ポリウレタンなどの化学繊維の一種である合成繊維により形成されている。また、糸や繊維の太さを示すデニール（Ｄ）は、一例として３０Ｄとされているが、この数値より大きくても小さくてもよい。３０Ｄより大きければ、タイツのような感触が増すことになるし、３０Ｄより小さければ、ストッキングとしての感触が増すことになる。
【００１７】
前述した構成によれば、本実施形態の靴下１０は、ストッキング仕様の第２部位１４が足１の甲５より上部を占めているので、見た目ではストッキングストッキングを穿いているように見える。しかし、足裏部３は、天然材料からなる第１部位１２により被覆されているので、足１がむれにくい。なお、第１部位１２に、汗を吸うことで熱を発生させる特殊な化学繊維を使用することにより寒冷地での使用に適した靴下１０とすることができる。
【００１８】
また、靴下１０の第２部位１４を３０Ｄ程度の糸の太さにすると、普通のストッキングより少し厚めで暖かく、しかも伝線しにくい。
【００１９】
さらに、靴下１０の第１部位１２のみが目立つので、スニーカーソックスのように見えるが、第２部位１２が連設されているので、脱げやすくはなく、実用的である。
【００２０】
図２は、本考案の第２実施形態を示すものであり、本実施形態の靴下２０は、爪先部２から踝部７までを被覆するソックス仕様の第１部位２２を有している。この第１部位２２の材質は、前述した第１実施形態の靴下１０の第１部位１２と同様である。
【００２１】
また、前記第１部位２２の上側には、ストッキング仕様の第２部位２４が、糸を替えて編むことにより連設されている。この第２部位２４は、本実施形態においては、脹ら脛６の上部までを被覆する長さに形成されている。この第２部位２４の材質は、前述した第１実施形態の靴下１０の第２部位１４と同様である。
【００２２】
前述した構成によれば、靴下２０のソックス仕様の第１部位２２が目立つが、第２部位２４が連設されているので、脱げやすくはなく、実用的である。
【００２３】
なお、靴下１０，２０の上端を踝部７程度までと短くすることももちろん可能であり、靴下１０，２０の上端は必要に応じて種々設定することができる。
【００２４】
以上説明したように、前述した本考案の２つの実施形態によれば、靴下とストッキングの両者の利点を合わせ持つことができ、使用者に良好な感触を与えることができる。
【符号の説明】
【００２５】
１  足
２  爪先部
２ａ  爪先部２の上部
２ｂ  爪先部２の下部
３  足裏部
４  踵部
５  足の甲
６  脹ら脛
７  踝部
１０，２０  靴下
１２，２２  第１部位
１４，２４  第２部位
【図１】
0003225693.tif 000003
【図２】
0003225693.tif 000004